【事件の表示】
　特許第２８５９１１０号「上げ下げ窓及び上げ下げ障子付ドア」の請求項１、３、５に係る特許に対する特許異議の申立てについて、次のとおり決定する。
【結　論】
　訂正を認める。
　特許第２８５９１１０号の請求項１、３、５に係る特許を維持する。
【理　由】
Ｉ．手続きの経緯
　本件特許第２８５９１１０号に係る発明は、平成５年１０月３０日に出願され、平成１０年１２月４日にその特許の設定登録がされ、その後、平成１１年８月１２日に吉田栄一より、平成１１年８月１３日にワイケイケイアーキテクチュラルプロダクツ株式会社より特許異議の申立てがなされ、平成１１年１２月１７日（起案日）に取消理由通知がなされ、その指定期間内である平成１２年３月１４日に特許異議意見書を提出すると共に訂正請求がなされたものである。
　　
II．訂正請求について
１．請求の趣旨及び訂正事項
　訂正請求の趣旨は、特許第２８５９１１０号の明細書を訂正請求書に添付した訂正明細書のとおり訂正することを求めるものであり、そして、その訂正事項は、以下(１)〜(６)のとおりのものである。
(１)訂正事項ａ
　特許明細書の特許請求の範囲の【請求項１】の記載を、
「【請求項１】　内外の障子を上下移動可能に支持するガイド溝を有する両側の縦枠を含む窓枠を形成し、前記縦枠のガイド溝内に滑車を設けると共に、この滑車に巻き掛けられて一端が内障子を且つ他端が外障子を吊るための吊りロープを前記ガイド溝内に配置し、前記障子の両側下端部に前記吊りロープの端部を係止する吊り部を前記ガイド溝内へ突設し、少なくとも一方の障子の吊り部に障子開放時に前記吊りロープの端部を下方から直に調節することによって上下に変位させて吊りロープの有効長さを調節するための有効長さ調節部を設けてなり、該吊り部には係止部が形成され、該調節部には吊りロープに連結された摺動体と摺動体に螺合された調節ネジを備え、調節ネジの頭部が前記係止部に係止されたことを特徴とする上げ下げ窓。」と訂正する。
(２)訂正事項ｂ
　特許明細書の特許請求の範囲の【請求項３】の記載を、
「【請求項３】　上下桟と左右の縦框を框組みしてなるドア本体を形成し、前記縦框又は縦框に添設された縦枠に内外の障子を上下移動可能に支持するガイド溝を形成すると共に、前記上下桟に前記内外の障子の全閉時にその上下端を規制する上下枠部を上下桟自体又は上下桟に添設された上下枠により形成し、前記ガイド溝内に滑車を設けると共に、この滑車に巻き掛けられて一端が内障子を且つ他端が外障子を吊るための吊りロープを前記ガイド溝内に配置し、前記障子の両側下端部に前記吊りロープの端部を係止する吊り部を前記ガイド溝内へ突設し、少なくとも一方の障子の吊り部に障子開放時に前記吊りロープの端部を下方から直に調節することによって上下に変位させて吊りロープの有効長さを調節するための有効長さ調節部を設けてなり、該吊り部には係止部が形成され、該調節部には吊りロープに連結された摺動体と摺動体に螺合された調節ネジを備え、調節ネジの頭部が前記係止部に係止されたことを特徴とする上げ下げ障子付ドア。」と訂正する。
(３)訂正事項ｃ
　特許明細書の段落番号【０００６】の記載を、
「【課題を解決するための手段】上記目的を達成するために、請求項１の発明に係る上げ下げ窓は、内外の障子を上下移動可能に支持するガイド溝を有する両側の縦枠を含む窓枠を形成し、前記縦枠のガイド溝内に滑車を設けると共に、この滑車に巻き掛けられて一端が内障子を且つ他端が外障子を吊るための吊りロープを前記ガイド溝内に配置し、前記障子の両側下端部に前記吊りロープの端部を係止する吊り部を前記ガイド溝内へ突設し、少なくとも一方の障子の吊り部に障子開放時に前記吊りロープの端部を下方から直に調節することによって上下に変位させて吊りロープの有効長さを調節するための有効長さ調節部を設けてなり、該吊り部には係止部が形成され、該調節部には吊りロープに連結された摺動体と摺動体に螺合された調節ネジを備え、調節ネジの頭部が前記係止部に係止されたことを特徴とする。」と訂正する。
(４)訂正事項ｄ
　特許明細書の段落番号【０００８】の記載を、
「請求項３の発明に係る上げ下げ障子付ドアは、上下桟と左右の縦框を框組みしてなるドア本体を形成し、前記縦框又は縦框に添設された縦枠に内外の障子を上下移動可能に支持するガイド溝を形成すると共に、前記上下桟に前記内外の障子の全閉時にその上下端を規制する上下枠部を上下桟自体又は上下桟に添設された上下枠により形成し、前記ガイド溝内に滑車を設けると共に、この滑車に巻き掛けられて一端が内障子を且つ他端が外障子を吊るための吊りロープを前記ガイド溝内に配置し、前記障子の両側下端部に前記吊りロープの端部を係止する吊り部を前記ガイド溝内へ突設し、少なくとも一方の障子の吊り部に障子開放時に前記吊りロープの端部を下方から直に調節することによって上下に変位させて吊りロープの有効長さを調節するための有効長さ調節部を設けてなり、該吊り部には係止部が形成され、該調節部には吊りロープに連結された摺動体と摺動体に螺合された調節ネジを備え、調節ネジの頭部が前記係止部に係止されたことを特徴とする。」と訂正する。
(５)訂正事項ｅ
　特許明細書の段落番号【００１１】の記載を、
「【作用】請求項１の発明によれば、障子の両側下端部に突設された吊り部に、吊りロープの端部を係止し、少なくとも一方の障子の吊り部に前記吊りロープの端部を上下に変位させて吊りロープの有効長さを調節するための有効長さ調節部を設けてなり、該吊り部には係止部が形成され、該調節部には吊りロープに連結された摺動体と摺動体に螺合された調節ネジを備え、調節ネジの頭部が前記係止部に係止されているので、窓枠の上枠に取付けた滑車を上下に移動させて吊りロープの調節を行う従来の上げ下げ窓に比して吊りロープを調節するための構造が簡素化され、製造コストの低減が図れると共に、吊りロープの調節を極めて容易に行うことができる。また、上記調節部を障子開放時に下方から直に調節できるようにしてあるので、下方から障子を外すことなく調節できる。また、吊りロープ及び滑車を前記ガイド溝内に位置するように配置したので意匠がよい。」と訂正する。
(６)訂正事項ｆ
　特許明細書の段落番号【００２９】の記載を、
「（１）請求項１の発明によれば、障子の両側下端部に突設された吊り部に、吊りロープの端部を係止し、少なくとも一方の障子の吊り部に前記吊りロープの端部を上下に変位させて吊りロープの有効長さを調節するための有効長さ調節部を設けてなり、該吊り部には係止部が形成され、該調節部には吊りロープに連結された摺動体と摺動体に螺合された調節ネジを備え、調節ネジの頭部が前記係止部に係止されているので、窓枠の上枠に取付けた滑車を上下に移動させて吊りロープの調節を行う従来の上げ下げ窓に比して吊りロープを調節するための構造が簡素化され、製造コストの低減が図れると共に、吊りロープの調節を極めて容易に行うことができる。また、上記調節部を障子開放時に下方から直に調節できるようにしてあるので、下方から障子を外すことなく調節できる。また、吊りロープ及び滑車を前記ガイド溝内に位置するように配置したので意匠がよい。」と訂正する。
２．訂正の要件の適否
２−１．訂正の目的の適否、新規事項の有無及び拡張・変更の存否
(１)訂正事項ａ、ｂは、特許明細書の特許請求の範囲の請求項１及び請求項３に記載された「吊り部と調節部」に「該吊り部には係止部が形成され、該調節部には吊りロープに連結された摺動体と摺動体に螺合された調節ネジを備え、調節ネジの頭部が前記係止部に係止された」という事項を付け加えて、より具体的に限定して訂正するものであるから、特許請求の範囲の減縮を目的とするものと認められる。そして、上記請求項１及び請求項３の事項は、それぞれ、願書に添付した明細書の段落番号【００２０】、段落番号【００２３】及び図６に記載されたものであり、願書に添付した明細書に記載した事項の範囲内においてした訂正である。加えて、訂正事項ａ、ｂは、実質上特許請求の範囲を拡張し又は変更するものでもない。
(２)訂正事項ｃ〜ｆは、特許請求の範囲の請求項１及び請求項３の訂正に伴い、特許請求の範囲の記載と発明の詳細な説明の記載との整合を図るために訂正するもので、明りようでない記載の釈明を目的とし、また、上記(１)訂正事項ａ、ｂと同様、願書に添付した明細書に記載した事項の範囲内の訂正であるということができ、特許請求の範囲を拡張し又は変更するものでもない。
２−２．独立特許要件についての判断
　上記訂正事項ａ、ｂにおいて、訂正後における特許請求の範囲の請求項１及び３に記載されている事項により構成される発明は、後述する「III．特許異議申立てについて」の「４．対比・判断」でしたように、取消理由及び特許異議申立ての理由では、特許を受けることができないとすることができず、また、他に特許を受けることができないとする理由も発見できないから、特許出願の際独立して特許を受けることができるものである。
３．むすび
　以上のとおりであるから、上記訂正請求は、平成６年法律第１１６号附則第６条第１項の規定によりなお従前の例によって適用される特許法第１２０条の４第２項及び同条第３項で準用する第１２６条第２項乃至第４項の規定に適合し、当該訂正は認められる。
　　
III．特許異議申立てについて
１．本件請求項１、３及び５に係る発明
　本件訂正明細書の請求項１、３及び５に係る発明（以下、「本件請求項１、３及び５に係る発明」という。）は、本件訂正請求書に添付された訂正明細書の特許請求の範囲の請求項１、３及び５に記載された次のとおりのものである。
「【請求項１】　内外の障子を上下移動可能に支持するガイド溝を有する両側の縦枠を含む窓枠を形成し、前記縦枠のガイド溝内に滑車を設けると共に、この滑車に巻き掛けられて一端が内障子を且つ他端が外障子を吊るための吊りロープを前記ガイド溝内に配置し、前記障子の両側下端部に前記吊りロープの端部を係止する吊り部を前記ガイド溝内へ突設し、少なくとも一方の障子の吊り部に障子開放時に前記吊りロープの端部を下方から直に調節することによって上下に変位させて吊りロープの有効長さを調節するための有効長さ調節部を設けてなり、該吊り部には係止部が形成され、該調節部には吊りロープに連結された摺動体と摺動体に螺合された調節ネジを備え、調節ネジの頭部が前記係止部に係止されたことを特徴とする上げ下げ窓。
　【請求項３】　上下桟と左右の縦框を框組みしてなるドア本体を形成し、前記縦框又は縦框に添設された縦枠に内外の障子を上下移動可能に支持するガイド溝を形成すると共に、前記上下桟に前記内外の障子の全閉時にその上下端を規制する上下枠部を上下桟自体又は上下桟に添設された上下枠により形成し、前記ガイド溝内に滑車を設けると共に、この滑車に巻き掛けられて一端が内障子を且つ他端が外障子を吊るための吊りロープを前記ガイド溝内に配置し、前記障子の両側下端部に前記吊りロープの端部を係止する吊り部を前記ガイド溝内へ突設し、少なくとも一方の障子の吊り部に障子開放時に前記吊りロープの端部を下方から直に調節することによって上下に変位させて吊りロープの有効長さを調節するための有効長さ調節部を設けてなり、該吊り部には係止部が形成され、該調節部には吊りロープに連結された摺動体と摺動体に螺合された調節ネジを備え、調節ネジの頭部が前記係止部に係止されたことを特徴とする上げ下げ障子付ドア。
　【請求項５】　前記請求項１又は２に記載の上げ下げ窓をドア本体に設けられた開ロに装着してなることを特徴とする上げ下げ障子付ドア。　」
２．特許異議申立ての理由及び取消理由の概要
２−１．特許異議申立ての理由
２−１−１．吉田栄一の特許異議申立ての理由
　特許異議申立人吉田栄一は、甲第１号証（実公平５−４７２５０号公報）、甲第２号証（実用新案登録第３５０４７７号公報）、甲第３号証［実願平２−７１７５３号（実開平４−３０３１２号）のマイクロフィルム］、甲第４号証［実願平１−１４０８４２号（実開平３−７８８９１号）のマイクロフィルム］及び甲第５号証（実公平４−３５５１６号公報）を提出し、特許明細書記載の（以下、「訂正前の」という。）本件請求項１、３及び５に係る発明は、甲第１〜５号証記載の発明に基づいて当業者が容易に発明をすることができたものであるから、特許法第２９条第２項の規定により特許を受けることができないものであり、訂正前の本件請求項１、３及び５に係る発明の特許は取り消されるべきものである旨主張している。
２−１−２．ワイケイケイアーキテクチュラルプロダクツ株式会社の特許異議申立ての理由
　特許異議申立人ワイケイケイアーキテクチュラルプロダクツ株式会社は、甲第１号証［実願平２−７１７５３号（実開平４−３０３１２号）のマイクロフィルム］、甲第２号証［実願昭６０−１６０９８３号（実開昭６２−６９５７５号）のマイクロフィルム］、甲第３号証（実公平５−３６６８号公報）、甲第４号証（実公平３−１５７５０号公報）及び甲第５号証（ワイケイケイアーキテクチュラルプロダクツ株式会社製品カタログ「勝手口通風ドアエアリフレ」1991年7月発行）を提出し、訂正前の本件請求項１に係る発明は、甲第１号証及び甲第２号証に記載された事項に基づき当業者が容易に想到し得るものであり、訂正前の本件請求項３に係る発明は、甲第１号証、甲第２号証及び甲第３〜５号証のいずれかに記載された事項に基づき当業者が容易に発明できたものであり、訂正前の本件請求項５に係る発明は、甲第１〜３号証に記載された事項に基づいて当業者が容易に発明できたものであり、訂正前の本件請求項１、３及び５に係る発明は、いずれも特許法第２９条第２項の規定により特許を受けることができないものであり、本件請求項１、３及び５に係る発明の特許は取り消されるべきものである旨主張している。
２−２．取消理由
　取消理由は、刊行物１として、特許異議申立人吉田栄一が提出した甲第３号証及び特許異議申立人ワイケイケイアーキテクチュラルプロダクツ株式会社が提出した甲第１号証である実願平２−７１７５３号（実開平４−３０３１２号）のマイクロフィルムを引用し、刊行物２として、特許異議申立人ワイケイケイアーキテクチュラルプロダクツ株式会社が提出した甲第２号証である実願昭６０−１６０９８３号（実開昭６２−６９５７５号）のマイクロフィルムを引用し、刊行物３として、同じくワイケイケイアーキテクチュラルプロダクツ株式会社が提出した甲第３号証である実公平５−３６６８号公報を引用し、訂正前の本件請求項１に係る発明は、刊行物１、２記載の発明に基づいて当業者が容易に発明をすることができたものであり、訂正前の本件請求項３及び５に係る発明は、刊行物１〜３記載の発明に基づいて当業者が容易に発明をすることができたものであり、それぞれ特許法第２９条第２項の規定により特許を受けることができないものであり、訂正前の本件請求項１、３及び５に係る発明の特許は取り消されるべきものであると通知されている。
３．特許異議申立人が提出した証拠及び刊行物１〜３に記載の発明
３−１．特許異議申立人吉田栄一が提出した甲第１〜５号証に記載の発明
　甲第１号証には
　第３欄第３〜９行、第３欄第４１行〜第４欄第６行及び第１、４図の記載からみて、
「滑車は、内外の障子を上下移動可能に支持するガイド溝内に取り付けられている上げ下げサッシ。」という発明が記載されていると認められ、
　甲第２号証には
　第１頁上欄第１２〜２０行、下欄第６〜１１行及び第１、２図の記載からみて、
「昇降窓において、時間の経過によるロープの延伸を、吊り紐を通した螺杆の螺締により補正すること。」という発明が記載されていると認められ、　
　甲第３号証（刊行物１）には
　明細書第３頁第８〜１０行、同第５頁第１４行〜第６頁第９行、同第６頁第１０行〜第８頁第１２行、同第９頁第４行〜第１０頁第４行及び第１、２図の記載からみて、
「屋内外側の２枚の障子を上下移動可能に支持する案内溝を有する竪枠を含む上げ下げ窓において、上枠の両端に支持された滑車に掛けられて一端が屋内側の障子を他端が屋外側の障子を吊るためのワイヤを案内溝内に配置し、障子の下端部に取付板を案内溝内に突出して設け、該取付板にねじ棒を螺合し、ワイヤの端部とねじ棒とを、両者の間の軸線回りの相対回動を許容する連結部材を介して連結したワイヤ長さ調節手段を設けてなり、ねじ棒を下方から直に回動にすることにより、ワイヤ長さを調整することを特徴とする上げ下げ窓。」という発明が記載されていると認められ、
　甲第４号証には
　明細書第１頁実用新案登録請求の範囲、第１頁第１３〜１４行、第３頁第１８行〜第４頁第１８行及び第１、２、４〜６図の記載からみて、
「上げ下げ窓をドアに設けられた開ロに装着してなるドア。」という発明が記載されていると認められ、
　甲第５号証には
　第１欄実用新案登録請求の範囲及び第１〜３図の記載からみて、
「ドア本体に形成した開ロ部に上下スライドする一対の障子体を取り付けてなる勝手口ドア。」という発明が記載されていると認められる。
３−２．特許異議申立人ワイケイケイアーキテクチュラルプロダクツ株式会社が提出した甲第１〜５号証に記載の発明
　甲第１号証は、上記特許異議申立人吉田栄一が提出した甲第３号証と同じ証拠であり、それに記載された発明は、上記の３−１．における甲第３号証に示したとおりである。
　甲第２号証（刊行物２）には
　明細書第３頁第１９行〜第４頁第４行、同第５頁第１７行〜第６頁第６行及び第１、４図の記載からみて、
「滑車は、内外の障子を上下移動可能に支持するガイド溝内に取り付けられている上げ下げサッシ。」という発明が記載されていると認められ、
　甲第３号証（刊行物３）には
　第２欄第１４〜１９行、第３欄第３３〜４１行及び第１〜３図の記載からみて、
「上下框と左右の縦框を框組みしてなる扉本体を形成し、前記縦框に添設された縦枠に内外の上げ下げ戸を上下移動可能に支持するガイド溝を形成すると共に、前記上下框に前記内外の障子の全閉時にその上下端を規制する上下枠部を上下框に添設された上下枠により形成した通風扉。」という発明が記載されていると認められ、
　甲第４号証には
　第３欄第５〜１８行及び第１〜３図の記載からみて、
「縦框にガイド溝を形成し、かつ、上下枠を上下桟自体とした上げ下げ障子付ドア。」という発明が記載されていると認められ、
　甲第５号証には
　第７頁一般納まり図内付け型の記載からみて、
「縦框に添設された縦枠にガイド溝を形成し、かつ、上下枠を上下桟自体とした上げ下げ障子付ドア。」という発明が記載されていると認められる。
４．対比・判断
４−１．取消理由について
（本件請求項１に係る発明について）
　本件請求項１に係る発明と刊行物１記載の発明とを比較すると、
　刊行物１記載の発明の「屋内外側」、「案内溝」、「竪枠」、「屋内側の障子」、「屋外側の障子」、「ワイヤ」、「取付板」及び「ワイヤ長さ調節手段」は、それぞれ本件請求項１に係る発明の「内外」、「ガイド溝」、「竪枠」、「内障子」、「外障子」、「吊りロープ」、「吊り部」及び「有効長さ調節部」に相当しているから、本件請求項１に係る発明は、刊行物１記載の発明とは、以下の点で相違しているが、その余の点では実質上一致している。
　相違点
(１)滑車を設けた位置について、本件請求項１に係る発明では、内外の障子を上下移動可能に支持するガイド溝内としたのに対し、刊行物１記載の発明では、上枠の両端としている点。
(２)本件請求項１に係る発明では、吊り部には係止部が形成され、調節部には吊りロープに連結された摺動体と摺動体に螺合された調節ネジを備え、調節ネジの頭部が前記係止部に係止されているのに対して、刊行物１記載の発明では、ワイヤと、軸線回りの相対回動を許容する連結部材を介して連結したねじ棒を、障子の下端部に案内溝内に突出して設けられた取付板に螺合している点。
　そこで、上記相違点を検討すると、
　相違点(１)について
　刊行物２には、滑車は、内外の障子を上下移動可能に支持するガイド溝内に取り付けることが記載されており、上記相違点(１)において、刊行物１記載の発明に代えて本件請求項１に係る発明のようにすることは、刊行物２記載の発明より、当業者であれば容易に設計変更なし得ることにすぎない。
　相違点(２)について
　相違点(２)における本件請求項１に係る発明と刊行物１記載の発明との構成上の相違により、本件請求項１に係る発明は、調節ねじの頭部は吊り部に形成された係止部に係止されている為、調節ねじの頭部と障子とは、高さ調整作業により、相対的な位置は変化しないのに対して、刊行物１記載の発明では、ねじ棒を回動することにより、ねじ棒の障子に対する位置が変化するという、両者の作用が相違することになり、刊行物１記載の発明は、少なくとも調整範囲の分だけ障子の下端面より上の奥になければならず、ねじ棒の回動操作がやりにくいのに対して、本件請求項１に係る発明は、特許異議意見書記載の「調節ねじの頭部は吊り部に形成された係止部に係止されているため、調節ねじの頭部と障子とは、高さ調整作業により連動して動き、相対的な位置は変化しないので、調整作業がやりやすい。」（第４頁第９〜１１行）という刊行物１記載の発明からは期待できない効果を奏するものと認められる。
　また、刊行物２には、相違点(２)における本件請求項１に係る発明の吊りロープ調節手段に相当するものは、開示されていない。　　
　したがって、本件請求項１に係る発明は、相違点(２)において、刊行物１、２記載の発明に基づいて当業者が容易に発明をすることができたものとすることができない。　
（本件請求項３に係る発明について）
　本件請求項３に係る発明における「上下桟と左右の縦框を框組みしてなるドア本体を形成し、前記縦框に添設された縦枠に内外の障子を上下移動可能に支持するガイド溝を形成すると共に、前記上下桟に前記内外の障子の全閉時にその上下端を規制する上下枠部を上下桟に添設された上下枠により形成した」点は、刊行物３に記載されているが、本件請求項３に係る発明の「吊り部には係止部が形成され、該調節部には吊りロープに連結された摺動体と摺動体に螺合された調節ネジを備え、調節ネジの頭部が前記係止部に係止されること」という事項は、刊行物３に開示されておらず、結局、上記「（本件請求項１に係る発明について）」で判断したと同様であり、本件請求項３に係る発明は、刊行物１〜３記載の発明に基づいて当業者が容易に発明をすることができたものとすることができない。
（本件請求項５に係る発明について）
　本件請求項５に係る発明は、本件請求項１に係る発明を引用するものであり、これに対しては、上記「（本件請求項１に係る発明について）」において、判断したとおりであり、本件請求項５に係る発明は、刊行物１〜３記載の発明に基づいて当業者が容易に発明をすることができたものであるとすることができない。
　以上、取消理由は、理由がないものとなったといわざるをえない。
４−２．特許異議申立の理由について
４−２−１．特許異議申立人吉田栄一の主張する理由について
（本件請求項１に係る発明について）
　本件請求項１に係る発明と甲第３号証記載の発明との対比・判断は、甲第３号証を取消理由の刊行物１としたものであるから、４−１．の「（本件請求項１に係る発明について）」でしたとおりであり、また、甲第１、２、４及び５号証には、本件請求項１に係る発明の「吊り部には係止部が形成され、調節部には吊りロープに連結された摺動体と摺動体に螺合された調節ネジを備え、調節ネジの頭部が前記係止部に係止されている」という事項については、何も記載されておらず、本件請求項１に係る発明は、この事項を構成要件とすることにより、上記４−１．の「（本件請求項１に係る発明について）」で記載したとおりの作用効果を奏するものであるから、甲第１〜５号証記載の発明に基づいて当業者が容易に発明をすることができたものとすることはできない。
（本件請求項３及び５に係る発明について）
　本件請求項３に係る発明の「吊り部には係止部が形成され、該調節部には吊りロープに連結された摺動体と摺動体に螺合された調節ネジを備え、調節ネジの頭部が前記係止部に係止されたこと」という事項は、甲第３号証記載の発明と相違し、その相違点の判断は、４−１．の「（本件請求項１に係る発明について）」でしたとおりであり、また、甲第１、２、４及び５号証には、本件請求項３に係る発明の該事項について何も記載されておらず、本件請求項３に係る発明は、この事項を構成要件とすることにより、上記４−１．の「（本件請求項１に係る発明について）」で記載したとおりの作用効果を奏するものであるから、甲第１〜５号証記載の発明に基づいて当業者が容易に発明をすることができたものとすることはできない。
　また、本件請求項５に係る発明は、本件請求項１に係る発明を引用するものであり、これに対しては、上記「（本件請求項１に係る発明について）」において、判断したとおりであり、本件請求項５に係る発明は、甲第１〜５号記載の発明に基づいて当業者が容易に発明をすることができたものであるとすることができない。
　よって、特許異議申立人吉田栄一の主張する理由は、理由があるものとすることはできない。
４−２−２．特許異議申立人ワイケイケイアーキテクチュラルプロダクツ株式会社の主張する理由について
（本件請求項１に係る発明について）
　本件請求項１に係る発明と甲第１号証記載の発明との対比・判断は、甲第１号証を取消理由の刊行物１としたものであるから、４−１．の「（本件請求項１に係る発明について）」でしたとおりであり、また、甲第２〜５号証には、本件請求項１に係る発明の「吊り部には係止部が形成され、調節部には吊りロープに連結された摺動体と摺動体に螺合された調節ネジを備え、調節ネジの頭部が前記係止部に係止されている」事項については、何も記載されておらず、本件請求項１に係る発明は、この事項を構成要件とすることにより、上記４−１．の「（本件請求項１に係る発明について）」で記載したとおりの作用効果を奏するものであるから、結局、甲第１号証及び甲第２号証記載の発明に基づいて当業者が容易に発明をすることができたものとすることができないばかりでなく、甲第１〜５号証記載の発明に基づいて当業者が容易に発明をすることができたものとすることもできない。
（本件請求項３及び５に係る発明について）
　本件請求項３に係る発明の「吊り部には係止部が形成され、該調節部には吊りロープに連結された摺動体と摺動体に螺合された調節ネジを備え、調節ネジの頭部が前記係止部に係止されたこと」という事項は、甲第１号証記載の発明と相違し、その相違点の検討は、４−１．の「（本件請求項１に係る発明について）」でしたとおりであり、また、甲第２〜５号証には、本件請求項３に係る発明の該事項が記載されておらず、本件請求項３に係る発明は、この事項を構成要件とすることにより、上記４−１．の「（本件請求項１に係る発明について）」で記載したとおりの作用効果を奏するものであるから、甲第１〜５号証記載の発明に基づいて当業者が容易に発明をすることができたものとすることはできない。
　また、本件請求項５に係る発明は、本件請求項１に係る発明を引用するものであり、これに対しては、上記「（本件請求項１に係る発明について）」において、判断したとおりであり、本件請求項５に係る発明は、甲第１〜５号記載の発明に基づいて当業者が容易に発明をすることができたものであるとすることができない。
　よって、特許異議申立人ワイケイケイアーキテクチュラルプロダクツ株式会社の主張する理由は、理由があるものとすることはできない。
５．むすび　
　以上のとおりであるから、取消理由及び特許異議申立ての理由並びに証拠方法によっては、本件請求項１、３及び５に係る発明の特許を取り消すことはできない。
　また、他に本件請求項１、３及び５に係る発明の特許を取り消すべき理由を発見しない。
　よって、結論のとおり決定する。
【異議決定日】
平成１２年６月１５日（２０００．６．１５）
【訂正の要旨】
　訂正の要旨は、以下のとおりである。
１．特許請求の範囲の減縮を目的として、
（１）特許明細書の特許請求の範囲の【請求項１】の記載を、
「【請求項１】　内外の障子を上下移動可能に支持するガイド溝を有する両側の縦枠を含む窓枠を形成し、前記縦枠のガイド溝内に滑車を設けると共に、この滑車に巻き掛けられて一端が内障子を且つ他端が外障子を吊るための吊りロープを前記ガイド溝内に配置し、前記障子の両側下端部に前記吊りロープの端部を係止する吊り部を前記ガイド溝内へ突設し、少なくとも一方の障子の吊り部に障子開放時に前記吊りロープの端部を下方から直に調節することによって上下に変位させて吊りロープの有効長さを調節するための有効長さ調節部を設けてなり、該吊り部には係止部が形成され、該調節部には吊りロープに連結された摺動体と摺動体に螺合された調節ネジを備え、調節ネジの頭部が前記係止部に係止されたことを特徴とする上げ下げ窓。」と訂正する。
（２）特許明細書の特許請求の範囲の【請求項３】の記載を、
「【請求項３】　上下桟と左右の縦権を権組みしてなるドア本体を形成し、前記縦枢又は縦枢に添設された縦枠に内外の障子を上下移動可能に支持するガイド溝を形成すると共に、前記上下桟に前記内外の障子の全閉時にその上下端を規制する上下枠部を上下桟自体又は上下桟に添設された上下枠により形成し、前記ガイド溝内に滑車を設けると共に、この滑車に巻き掛けられて一端が内障子を且つ他端が外障子を吊るための吊りロープを前記ガイド溝内に配置し、前記障子の両側下端部に前記吊りロープの端部を係止する吊り部を前記ガイド溝内へ突設し、少なくとも一方の障子の吊り部に障子開放時に前記吊りロープの端部を下方から直に調節することによって上下に変位させて吊りロープの有効長さを調節するための有効長さ調節部を設けてなり、該吊り部には係止部が形成され、該調節部には吊りロープに連結された摺動体と摺動体に螺合された調節ネジを備え、調節ネジの頭部が前記係止部に係止されたことを特徴とする上げ下げ障子付ドア。」と訂正する。
２．特許明細書の【特許請求の範囲】の【請求項１】及び【請求項３】の訂正に伴い、その請求項１又は請求項３の記載と整合させ、明りょうでない記載の釈明を目的として、
（１）特許明細書の段落番号【０００６】の記載を、
「【課題を解決するための手段】上記目的を達成するために、請求項１の発明に係る上げ下げ窓は、内外の障子を上下移動可能に支持するガイド溝を有する両側の縦枠を含む窓枠を形成し、前記縦枠のガイド溝内に滑車を設けると共に、この滑車に巻き掛けられて一端が内障子を且つ他端が外障子を吊るための吊りロープを前記ガイド溝内に配置し、前記障子の両側下端部に前記吊りロープの端部を係止する吊り部を前記ガイド溝内へ突設し、少なくとも一方の障子の吊り部に障子開放時に前記吊りロープの端部を下方から直に調節することによって上下に変位させて吊りロープの有効長さを調節するための有効長さ調節部を設けてなり、該吊り部には係止部が形成され、該調節部には吊りロープに連結された摺動体と摺動体に螺合された調節ネジを備え、調節ネジの頭部が前記係止部に係止されたことを特徴とする。」と訂正する。
（２）特許明細書の段落番号【０００８】の記載を、
「請求項３の発明に係る上げ下げ障子付ドアは、上下桟と左右の縦框を框組みしてなるドア本体を形成し、前記縦框又は縦框に添設された縦枠に内外の障子を上下移動可能に支持するガイド溝を形成すると共に、前記上下桟に前記内外の障子の全閉時にその上下端を規制する上下枠部を上下桟自体又は上下桟に添設された上下枠により形成し、前記ガイド溝内に滑車を設けると共に、この滑車に巻き掛けられて一端が内障子を且つ他端が外障子を吊るための吊りロープを前記ガイド溝内に配置し、前記障子の両側下端部に前記吊りロープの端部を係止する吊り部を前記ガイド溝内へ突設し、少なくとも一方の障子の吊り部に障子開放時に前記吊りロープの端部を下方から直に調節することによって上下に変位させて吊りロープの有効長さを調節するための有効長さ調節部を設けてなり、該吊り部には係止部が形成され、該調節部には吊りロープに連結された摺動体と摺動体に螺合された調節ネジを備え、調節ネジの頭部が前記係止部に係止されたことを特徴とする。」と訂正する。
（３）特許明細書の段落番号【００１１】の記載を、
「【作用】請求項１の発明によれば、障子の両側下端部に突設された吊り部に、吊りロープの端部を係止し、少なくとも一方の障子の吊り部に前記吊りロープの端部を上下に変位させて吊りロープの有効長さを調節するための有効長さ調節部を設けてなり、該吊り部には係止部が形成され、該調節部には吊りロープに連結された摺動体と摺動体に螺合された調節ネジを備え、調節ネジの頭部が前記係止部に係止されているので、窓枠の上枠に取付けた滑車を上下に移動させて吊りロープの調節を行う従来の上げ下げ窓に比して吊りロープを調節するための構造が簡素化され、製造コストの低減が図れると共に、吊りロープの調節を極めて容易に行うことができる。また、上記調節部を障子開放時に下方から直に調節できるようにしてあるので、下方から障子を外すことなく調節できる。また、吊りロープ及び滑車を前記ガイド溝内に位置するように配置したので意匠がよい。」と訂正する。
（４）特許明細書の段落番号【００２９】の記載を、
「（１）請求項１の発明によれば、障子の両側下端部に突設された吊り部に、吊りロープの端部を係止し、少なくとも一方の障子の吊り部に前記吊りロープの端部を上下に変位させて吊りロープの有効長さを調節するための有効長さ調節部を設けてなり、該吊り部には係止部が形成され、該調節部には吊りロープに連結された摺動体と摺動体に螺合された調節ネジを備え、調節ネジの頭部が前記係止部に係止されているので、窓枠の上枠に取付けた滑車を上下に移動させて吊りロープの調節を行う従来の上げ下げ窓に比して吊りロープを調節するための構造が簡素化され、製造コストの低減が図れると共に、吊りロープの調節を極めて容易に行うことができる。また、上記調節部を障子開放時に下方から直に調節できるようにしてあるので、下方から障子を外すことなく調節できる。また、吊りロープ及び滑車を前記ガイド溝内に位置するように配置したので意匠がよい。」と訂正する。
（５４）【発明の名称】
上げ下げ窓及び上げ下げ障子付ドア
（５７）【特許請求の範囲】
　【請求項１】内外の障子を上下移動可能に支持するガイド溝を有する両側の縦枠を含む窓枠を形成し、前記縦枠のガイド溝内に滑車を設けると共に、この滑車に巻き掛けられて一端が内障子を且つ他端が外障子を吊るための吊りロープを前記ガイド溝内に配置し、前記障子の両側下端部に前記吊りロープの端部を係止する吊り部を前記ガイド溝内へ突設し、少なくとも一方の障子の吊り部に障子開放時に前記吊りロープの端部を下方から直に調節することによって上下に変位させて吊りロープの有効長さを調節するための有効長さ調節部を設けてなり、該吊り部には係止部が形成され、該調節部には吊りロープに連結された摺動体と摺動体に螺合された調節ネジを備え、調節ネジの頭部が前記係止部に係止されたことを特徴とする上げ下げ窓。
　【請求項２】内外の障子を上下移動可能に支持するガイド溝を有する両側の縦枠を含む窓枠を形成し、滑車に巻き掛けられて一端が内障子を且つ他端が外障子を吊るための吊りロープ及び滑車を前記ガイド溝内に位置するように配置し、前記障子の両側下端部に前記吊りロープの端部を係止する係止部を有してガイド溝には吊りロープ及び滑車を覆うカバーを、前記障子の両側上端部に上記カバーによって形成された浅い溝内を摺動ずるガイドピースを備えたことを特徴とする上げ下げ窓。
　【請求項３】上下桟と左右の縦框を框組みしてなるドア本体を形成し、前記縦框又は縦框に添設された縦枠に内外の障子を上下移動可能に支持するガイド溝を形成すると共に、前記上下桟に前記内外の障子の全閉時にその上下端を規制する上下枠部を上下桟自体又は上下桟に添設された上下枠により形成し、前記ガイド溝内に滑車を設けると共に、この滑車に巻き掛けられて一端が内障子を且つ他端が外障子を吊るための吊りロープを前記ガイド溝内に配置し、前記障子の両側下端部に前記吊りロープの端部を係止する吊り部を前記ガイド溝内へ突設し、少なくとも一方の障子の吊り部に障子開放時に前記吊りロープの端部を下方から直に調節することによって上下に変位させて吊りロープの有効長さを調節するための有効長さ調節部を設けてなり、該吊り部には係止部が形成され、該調節部には吊りロープに連結された摺動体と摺動体に螺合された調節ネジを備え、調節ネジの頭部が前記係止部に係止されたことを特徴とする上げ下げ障子付ドア。
　【請求項４】上下桟と左右の縦框を框組みしてなるドア本体を形成し、前記縦框又は縦框に添設された縦枠に内外の障子を上下移動可能に支持するガイド溝を形成すると共に、前記上下桟に前記内外の障子の全閉時にその上下端を規制する上下枠部を上下桟自体又は上下桟に添設された上下枠により形成し、滑車に巻き掛けられて一端が内障子を且つ他端が外障子を吊るための吊りロープ及び滑車を前記ガイド溝内に位置するように配置し、前記障子の両側下端部に前記吊りロープの端部を係止する係止部を有しガイド溝には吊りロープ及び滑車を覆うカバーを、前記障子の両側上端部に上記カバーによって形成された浅い溝内を摺動するガイドピースを備えたことを特徴とする上げ下げ障子付ドア。
　【請求項５】前記請求項１又は２に記載の上げ下げ窓をドア本体に設けられた開口に装着してなることを特徴とする上げ下げ障子付ドア。
【発明の詳細な説明】
　【０００１】
　【産業上の利用分野】本発明は、上げ下げ窓及び上げ下げ障子付ドアに関する。
　【０００２】
　【従来の技術】内外の障子を滑車に巻き掛けた吊りロープにより連動させて上下に開閉するようにした上げ下げ窓は、例えば実開昭５６−１２１８６３号公報、実開昭５６−１２１８７３号公報等により知られている。これらの公報に記載されている上げ下げ窓は、内外の障子を上下移動可能に支持するガイド溝を有する両側の縦枠を含む窓枠を備えており、この窓枠の上枠には滑車が設けられ、この滑車に巻き掛けた吊りロープの両端が縦枠のガイド溝内に垂下されている。そして、各障子の側部下端には前記吊りロープの端部が吊り金具を介して固定されている。従って、例えば最下端の閉じ位置にある内障子を上に移動させて開けると、最上端の閉じ位置にある外障子が下に移動して開き、窓枠内の上部と下部が開放されるようになっている。
　【０００３】ところで、このような上げ下げ窓においては、吊りロープに障子の荷重が常時加わっていることから、吊りロープが緩み（伸び）易く、障子の閉りが不十分になる場合がある。このため、例えば前記実開昭５６−１２１８６３号公報に記載されている上げ下げ窓においては、窓枠の上枠に調節ネジ及びブラケットを介して滑車を上下方向に移動調節可能に設けることにより、吊りロープの緩みを吸収すべく調節できるようにしている。
　【０００４】
　【発明が解決しようとする課題】しかしながら、前述したような上げ下げ窓においては、窓枠の上枠に調節ネジ及びブラケットを介して滑車を上下方向に移動調節可能に設けているため、構造が複雑で製造コストが高くなるばかりでなく、障子の荷重が加わっている滑車を高所にある調節ネジにより上下方向に移動させて吊りロープの調節を行わなければならず、調節に困難を伴うなどの問題があった。
　【０００５】本発明は、前記問題点を解決すべくなされたもので、構造が簡単で製造コストの低減が図れると共に、吊りロープの調節を極めて容易に行うことができる上げ下げ窓および上げ下げ障子付ドアを提供することを目的とする。
　【０００６】
　【課題を解決するための手段】上記目的を達成するために、請求項１の発明に係る上げ下げ窓は、内外の障子を上下移動可能に支持するガイド溝を有する両側の縦枠を含む窓枠を形成し、前記縦枠のガイド溝内に滑車を設けると共に、この滑車に巻き掛けられて一端が内障子を且つ他端が外障子を吊るための吊りロープを前記ガイド溝内に配置し、前記障子の両側下端部に前記吊りロープの端部を係止する吊り部を前記ガイド溝内へ突設し、少なくとも一方の障子の吊り部に障子開放時に前記吊りロープの端部を下方から直に調節することによって上下に変位させて吊りロープの有効長さを調節するための有効長さ調節部を設けてなり、該吊り部には係止部が形成され、該調節部には吊りロープに連結された摺動体と摺動体に螺合された調節ネジを備え、調節ネジの頭部が前記係止部に係止されたことを特徴とする。
　【０００７】請求項２の発明に係る上げ下げ窓は、内外の障子を上下移動可能に支持するガイド溝を有する両側の縦枠を含む窓枠を形成し、滑車に巻き掛けられて一端が内障子を且つ他端が外障子を吊るための吊りロープ及び滑車を前記ガイド溝内に位置するように配置し、前記障子の両側下端部に前記吊りロープの端部を係止する係止部を有してガイド溝には吊りロープ及び滑車を覆うカバーを、前記障子の両側上端部に上記カバーによって形成された浅い溝内を摺動ずるガイドピースを備えたことを特徴とする。
　【０００８】請求項３の発明に係る上げ下げ障子付ドアは、上下桟と左右の縦框を框組みしてなるドア本体を形成し、前記縦框又は縦框に添設された縦枠に内外の障子を上下移動可能に支持するガイド溝を形成すると共に、前記上下桟に前記内外の障子の全開時にその上下端を規制する上下枠部を上下桟自体又は上下桟に添設された上下枠により形成し、前記ガイド溝内に滑車を設けると共に、この滑車に巻き掛けられて一端が内障子を且つ他端が外障子を吊るための吊りロープを前記ガイド溝内に配置し、前記障子の両側下端部に前記吊りロープの端部を係止する吊り部を前記ガイド溝内へ突設し、少なくとも一方の障子の吊り部に障子開放時に前記吊りロープの端部を下方から直に調節することによって上下に変位させて吊りロープの有効長さを調節するための有効長さ調節部を設けてなり、該吊り部には係止部が形成され、該調節部には吊りロープに連結された摺動体と摺動体に螺合された調節ネジを備え、調節ネジの頭部が前記係止部に係止されたことを特徴とする。
　【０００９】請求項４の発明に係る上げ下げ障子付ドアは、上下桟と左右の縦框を框組みしてなるドア本体を形成し、前記縦框又は縦框に添設された縦枠に内外の障子を上下移動可能に支持するガイド溝を形成すると共に、前記上下桟に前記内外の障子の全閉時にその上下端を規制する上下枠部を上下桟自体又は上下桟に添設された上下枠により形成し、滑車に巻き掛けられて一端が内障子を且つ他端が外障子を吊るための吊りロープ及び滑車を前記ガイド溝内に位置するように配置し、前記障子の両側下端部に前記吊りロープの端部を係止する係止部を有しガイド溝には吊りロープ及び滑車を覆うカバーを、前記障子の両側上端部に上記カバーによって形成された浅い溝内を摺動するガイドピースを備えたことを特徴とする。
　【００１０】請求項５の発明に係る上げ下げ障子付ドアは、前記請求項１又は２に記載の上げ下げ窓をドア本体に設けられた開口に装着してなることを特徴とする。
　【００１１】
　【作用】請求項１の発明によれば、障子の両側下端部に突設された吊り部に、吊りロープの端部を係止し、少なくとも一方の障子の吊り部に前記吊りロープの端部を上下に変位させて吊りロープの有効長さを調節するための有効長さ調節部を設けてなり、該吊り部には係止部が形成され、該調節部には吊りロープに連結された摺動体と摺動体に螺合された調節ネジを備え、調節ネジの頭部が前記係止部に係止されているので、窓枠の上枠に取付けた滑車を上下に移動させて吊りロープの調節を行う従来の上げ下げ窓に比して吊りロープを調節するための構造が簡素化され、製造コストの低減が図れると共に、吊りロープの調節を極めて容易に行うことができる。また、上記調節部を障子開放時に下方から直に調節できるようにしてあるので、下方から障子を外すことなく調節できる。また、吊りロープ及び滑車を前記ガイド溝内に位置するように配置したので意匠がよい。
　【００１２】請求項２の発明によれば、吊りロープ及び滑車を前記ガイド溝内に位置するように配置したので意匠がよい、縦枠に滑車を固定したので上枠に滑車が固定されているものに比べて吊りロープの長さが短くできる。滑車がカバーで覆われているため、ホコリが入りにくく、滑車の耐久性が向上する。吊りロープ及び滑車を覆うカバーを外せば、メンテナンスができる。縦枠に吊りロープ及び滑車を配置したので、従来技術である上枠に滑車を固定したものでは吊りロープが上枠と縦枠の両方にかかることにより枠組みがしにくいのに対して、本願発明では枠組みがしやすい。障子の両側上端部には、カバーによって形成された浅い溝内を摺動するガイドピースを備えたので、縦枠のガイド溝内に吊りロープ及び滑車を配置したにもかかわらず、障子の上端部が滑車固定位置を円滑に通過できる。
　【００１３】請求項３〜請求項５の発明によれば、上げ下げ障子付ドアが構成されるため、ドアでありながら通気や換気を取ることが可能となり、例えば勝手口のドア等として有効に利用することができる。
　【００１４】
　【実施例】以下に、本発明の一実施例を添付図面に基づいて詳述する。
　【００１５】図１〜図３において、１は上げ下げ障子付ドアのドア本体で、このドア本体１は左右の縦框１ａ，１ａと、上桟１ｂ及び下桟１ｃを方形に框組みすることにより構成されている。このドア本体１の縦框１ａ，１ａと、上桟１ｂ及び下桟１ｃにより区画された開口２には上げ下げ窓３の窓枠４が装着されており、この窓枠４は内外の障子５，６を上下移動可能に支持するガイド溝７ａ，７ｂを有する両側の縦枠４ａ，４ａと、上枠４ｂ及び下枠４ｃを方形に組むことにより構成されている。なお、前記上下桟１ｂ，１ｃには、前記内外の障子５，６の全閉時にその上下端を規制する上下枠部が直接又は間接的に形成されている。すなわち、窓枠３の上枠４ｂは上枠部としてドア本体１の上桟１ｂに直接的（一体）に形成され、窓枠３の下枠４ｃは下枠部としてドア本体１の下桟１ｃに間接的（別体）に形成されている。また、図２において、８はドア本体１の一側部に設けられたヒンジ、９はドア本体１の他側部に設けられたハンドル、１０はドア本体１の開口２の外側に取付けられた網戸である。
　【００１６】内障子５は両側の縦框５ａ，５ａと、上桟５ｂ及び下桟５ｃを方形に組んでガラス５ｄを装着することにより構成され、外障子６も同様に両側の縦框６ａ，６ａと、上桟６ｂ及び下桟６ｃを方形に組んでガラス６ｄを装着することにより構成されている。前記上げ下げ窓３は、内障子５を窓枠４の最下端位置に、外障子６を窓枠４の最上端位置にそれぞれ位置させることにより閉状態となるように構成され、内障子５の上桟５ｂにはこの内障子５を上下に移動操作するための取っ手５ｅが設けられている。
　【００１７】また、前記上げ下げ窓３は、内障子５と外障子６を窓枠４の上下方向略中間位置に重なり合うように位置させることにより開状態となるように構成され、縦枠４ａのガイド溝７ａ，７ｂ内には図９の（ａ）に示すように内障子５と外障子６を開状態に位置決めするためのストッパー１１ａ，１１ｂが設けられている。なお、図９の（ａ）において、ｈａは内障子５の高さ寸法、ｓａは内障子５のストッパー１１ａまでの開閉ストローク、ｈｂは外障子６の高さ寸法、ｓｂは外障子６のストッパー１１ｂまでの開閉ストロークである。
　【００１８】そして、縦枠４ａのガイド溝７ａ，７ｂ内の長手方向略中間位置の奥部には両ガイド溝７ａ，７ｂ間の仕切壁７ｃに切欠部７ｄを設けることにより滑車１２が仕切壁７ｃと干渉しない状態で取付けられ（図１０参照）、この滑車１２には一端が内障子５を吊るべく一方のガイド溝７ａに位置し、他端が外障子６を吊るべく他方のガイド溝７ｂに位置するように吊りロープ１３が巻き掛けられている。また、図９の（ａ）、（ｂ）に示すように内障子５のガイド溝７ａ内には閉位置の内障子５の上端よりも若干下方から上方のストッパー１１ａに亘って滑車１２を覆う断面略Ｌ字状のカバー１４ａが取付けられ、外障子６のガイド溝７ｂ内には閉位置の外障子６の下端よりも若干上方からガイド溝７ｂの上端部に亘って滑車１２を覆う断面略Ｌ字状のカバー１４ｂが取付けられており、これらのカバー１４ａ，１４ｂによって両ガイド溝７ａ，７ｂの一部が浅い溝７ｅ，７ｆになっている。
　【００１９】図４に示すように内障子５及び外障子６の両側下端部にはガイド溝７ａ，７ｂ内を摺動する摺動部である合成樹脂製のガイドピース１５，１６が突設され、外障子６のガイドピース１６には吊りロープ１３の一端が係止され、内障子５のガイドピース１５には吊りロープ１３の他端が係止されている。この場合、外障子６のガイドピース１６は、図５、図７ないし図８に示すように外障子６の側部下端よりガイド溝７ｂと略同じ幅及びガイド溝７ｂの奥部に届く長さで水平に延出される水平部１６ａと、この水平部１６ａより起立して外障子６の側部に当接される平断面Ｕ字状の垂直部１６ｂとを一体的に有し、その垂直部１６ｂが外障子６の縦框６ａと下桟６ｃを結合する結合部材であるビスないしネジ１７を利用して外障子６の側部に固定されている。また、前記吊りロープ１３の外障子側の端部には鍔状の係止部材１８が固定され、外障子６のガイドピース１６の水平部１６ａには吊りロープ１３を挿通させるスリット１６ｃが形成されされると共にこのスリット１６ｃの下端に係止部材１８を嵌合させて係止するための凹状の係止部１６ｄが形成されている。
　【００２０】一方、内障子５のガイドピース１５は、図６に示すように前記外障子６のガイドピース１６と同様に水平部１５ａ及び垂直部１５ｂを一体的に有し、その水平部１５ｂにはスリット１５ｃ及び係止部１５ｄが形成されているが、これら以外に吊りロープ１３の内障子側の端部を上下に変位させて吊りロープ１３の長さを調節するための調節部１９が設けられている。この場合、調節部１９は、前記吊りロープ１３の端部に連結されると共にガイドピース１５の垂直部１５ｂの内側に回転しない状態で上下に摺動可能に収容される摺動体２０と、この摺動体２０の下端部に螺合された調節ネジ２１とから主に構成されており、この調節ネジ２１の頭部２１ａが前記係止部１５ｄに係止されている。
　【００２１】なお、内障子５及び外障子６の両側上端部にはガイド溝７ａ，７ｂ内にカバー１４ａ，１４ｂによって形成された浅い溝７ｅ，７ｆ内を摺動する合成樹脂製のガイドピース２２，２３が突設されている（図４参照）。また、図１０ないし図１１において、２４は滑車１２を取付けるための補強用として縦枠４ａの外側部に取付けられた裏板であり、この裏板２４には上げ下げ窓３の窓枠４のガタツキを防止するためにドア本体１の縦框１ａの内側部に形成した係合穴２５と係合する係合爪２６が一体形成されている。
　【００２２】以上のように構成された上げ下げ障子付ドアによれば、ドア本体１の開口２に上げ下げ窓３が装着された構成になっているので、ドアでありながら通気や換気を取ることができ、例えば勝手口のドアとして有効に利用することができる。そして、その上げ下げ窓３においては、内障子５及び外障子６の両側下端部にガイド溝７ａ，７ｂ内を摺動するように突設された摺動部であるガイドピース１５，１６に、吊りロープ１３の端部を係止するための係止部１５ｄ，１６ｄを設け、内障子５のガイドピース１５に前記係止部１５ｄに係止される吊りロープ１３の端部を上下に変位させて吊りロープ１３の長さを調節するための調節部１９を設けているので、窓枠の上枠に取付けた滑車を上下に移動させて吊りロープの調節を行う従来の上げ下げ窓に比して吊りロープ１３を調節するための構造が簡素化され、製造コストの低減が図れると共に、吊りロープ１３の調節を極めて容易に行うことができる。すなわち、吊りロープ１３の調節を行う場合、内障子５を上げて調節ネジ２１を回せば良く、窓枠４の上枠４ｂの位置とは異なり低い位置で調節作業を行うことができるので、調節が容易であり、しかも、外障子６がストッパー１１ｂに当接して支持された状態で調節ネジ２１を回せば調節ネジ２１には吊りロープ１３を介して外障子６の荷重が掛からないので、調節が極めて容易にできる。
　【００２３】また、前記ガイドピース１５，１６が吊りロープ１３の端部を固定するための吊り部を兼ねており、しかも、障子５，６の縦框５ａ，６ａと下桟５ｃ，６ｃを結合するネジ１７を利用してガイドピース１５，１６が取付けられているため、部品点数の削減により更に構造の簡素化が図れる。また、滑車１２が縦枠４ａのガイド溝７ａ，７ｂ内における長手方向略中間位置に設置されているので、滑車が窓枠の上枠に設置されている従来の上げ下げ窓に比して、吊りロープ１３の長さを短縮することができ、その分製造コストの低減が図れる。更に、ガイド溝７ａ，７ｂ内には滑車１２を覆うカバー１４ａ，１４ｂが取付けられ、滑車１２が露出していないので、外観の向上が図れると共に滑車１２や吊りロープ１３へのほこりの付着を防止することができ、耐久性の向上が図れる。
　【００２４】なお、本発明は、前記実施例に限定されるものではなく、本発明の要旨の範囲内で種々の変形実施が可能である。例えば、実施例の上げ下げ窓３は内障子５を窓枠４内の最下端に、外障子６を窓枠４内の最上端にそれぞれ位置させて閉状態となるように構成されているが、これとは逆に内障子５を窓枠４内の最上端に、外障子６を窓枠４内の最下端にそれぞれ位置させて閉状態となるように構成しても良い。また、実施例では内障子５のガイドピース１５に調節部１９が設けられているが、外障子６のガイドピース１６に調節部１９を設けても良く、或いは内障子５及び外障子６の双方のガイドピース１５，１６に調節部１９を設けても勿論構わない。
　【００２５】更に、ガイドピースとしては、外障子６のガイドピース１６のように必ずしも調節部１９を備えていなくてもよい。また、実施例の摺動部であるガイドピース１５，１６は吊りロープ１３の端部を係止する吊り部を兼ねているが、吊り部とガイドピースは別体に構成してもよい。
　【００２６】実施例では上げ下げ障子付ドアについて説明されているが、そのドア本体ａの開口２に装着された上げ下げ窓３と略同一構成の上げ下げ窓は通常の上げ下げ窓と同様に建物の壁の開口に据付けることができる。
　【００２７】実施例の上げ下げ障子付ドアにおいては、ドア本体１の上下桟１ｂ，１ｃ及び左右の縦権１ａ，１ａに上げ下げ窓３の窓枠４が一辺（上桟４ｂ）を除いて連続（連接）する部材として別体（間接的）に設けられているが、一体（直接的）に形成されていてもよく、或いは４辺が一体又は別体の組合せからなっていてもよい。例えば、窓枠４の縦枠４ａが縦枠部としてドア本体１の縦框１ａに一体に形成され、この縦框１ａにガイド溝７ａ，７ｂが直接形成されているようになっていてもよく、或いは窓枠４の下枠４ｃが下枠部としてドア本体１の下桟１ｃに一体に形成されていてもよい。また、前記上げ下げ障子付ドアのドア本体１は、上下桟１ｂ，１ｃ及び左右の縦框１ａ，１ａを框組みしてなる框ドアからなっているが、框を有しないフラッシュドアからなっていてもよい。この場合、ドア本体１に開口２を設け、この開口２に上げ下げ窓３を装着すればよい。
　【００２８】
　【発明の効果】以上要するに本発明によれば、次のような優れた効果が得られる。
　【００２９】（１）請求項１の発明によれば、障子の両側下端部に突設された吊り部に、吊りロープの端部を係止し、少なくとも一方の障子の吊り部に前記吊りロープの端部を上下に変位させて吊りロープの有効長さを調節するための有効長さ調節部を設け
てなり、該吊り部には係止部が形成され、該調節部には吊りロープに連結された摺動体と摺動体に螺合された調節ネジを備え、調節ネジの頭部が前記係止部に係止されている
　【００３０】（２）請求項２の発明によれば、吊りロープ及び滑車を前記ガイド溝内に位置するように配置したので意匠がよい、縦枠に滑車を固定したので上枠に滑車が固定されているものに比べて吊りロープの長さが短くできる。滑車がカバーで覆われているため、ホコリが入りにくく、滑車の耐久性が向上する。吊りロープ及び滑車を覆うカバーを外せば、メンテナンスができる。縦枠に吊りロープ及び滑車を配置したので、従来技術である上枠に滑車を固定したものでは吊りロープが上枠と縦枠の両方にかかることにより枠組みがしにくいのに対して、本願発明では枠組みがしやすい。障子の両側上端部には、カバーによって形成された浅い溝内を摺動するガイドピースを備えたので、縦枠のガイド溝内に吊りロープ及び滑車を配置したにもかかわらず、障子の上端部が滑車固定位置を円滑に通過できる。
　【００３１】（３）請求項３〜請求項５の発明によれば、上げ下げ障子付ドアが構成されるため、ドアでありながら通気や換気を取ることができ、例えば勝手口のドア等として有効に利用することができる。
【図面の簡単な説明】
　【図１】本発明の一実施例を示す上げ下げ障子付ドアの正面図である。
　【図２】図１のＡ−Ａ線拡大断面図である。
　【図３】図１のＢ−Ｂ線拡大断面図である。
　【図４】上げ下げ窓の概略的分解正面図である。
　【図５】外障子に取付けられるガイドピースの斜視図である。
　【図６】内障子に取付けられるガイドピースの斜視図である。
　【図７】ガイドピースの取付け状態を示す図である。
　【図８】図７のＣ−Ｃ線断面図である。
　【図９】上げ下げ窓の縦枠を示す図で、（ａ）は内側面図、（ｂ）は（ａ）のＤ−Ｄ線拡大断面図である。
　【図１０】上げ下げ窓の縦枠に取付けられた滑車部分を示す一部切欠正面図である。
　【図１１】上げ下げ窓の縦枠をドア本体の縦権に装着する状態を示す斜視図である。
　【符号の説明】
１　ドア本体
２　開口
３　上げ下げ窓
４　窓枠
４ａ　縦枠
５　内障子
６　外障子
７ａ，７ｂ　ガイド溝
１２　滑車
１３　吊りロープ
１５，１６　ガイドピース（摺動部）
１５ｄ，１６ｄ　係止部
１７　ネジ（結合部材）
１９　調節部